(57)【要約】【課題】  軽量化を図ることができるとともに水圧に対する耐久性も向上させ得る止水装置を提供する。【解決手段】  一対の縦溝に両端１ａを挿入して止水板１が取付けられる止水装置であって、前記止水板１は、止水用ゴム板２を挟んで両側に一対の可撓性の支持板３、４が設けられた構成であって、縦溝に挿入される前記両端１ａの間の幅方向寸法が一対の縦溝間の寸法よりも長く、一対の縦溝間に湾曲状に撓んだ状態に取付けられる。【選択図】      図１
2006316461.tif 000002
【特許請求の範囲】
【請求項１】
一対の縦溝に両端を挿入して止水板が取付けられる止水装置であって、
前記止水板は、止水用ゴム板を挟んで両側に一対の可撓性の支持板が設けられた構成であって、縦溝に挿入される前記両端の間の幅方向寸法が一対の縦溝間の寸法よりも長く、一対の縦溝間に湾曲状に撓んだ状態に取付けられることを特徴とする止水装置。
【請求項２】
請求項１に記載の止水装置において、
前記止水板を貫通するように設けたボルトとこのボルトに取付けたナットとにより、一対の支持板の離隔距離がほぼ一定に保持されるとともに、一方の支持板のみが前記ゴム板に接着され、他方の支持板には湾曲状に撓むことに伴う上記ボルトの前記幅方向への移動を許容する長孔が設けられていることを特徴とする止水装置。
【請求項３】
請求項１又は２に記載の止水装置において、
前記止水板は、矩形状であって、少なくとも前記幅方向の２方向及び幅方向と交差する１方向の３方向でゴム板が両支持板よりも外側へ突出した構成であることを特徴とする止水装置。
【請求項４】
請求項１乃至３のいずれかに記載の止水装置において、
前記止水板は前記交差する１方向を下向きに配置され、ゴム板の下部として用いられる部分が、軟質のゴムで構成されていることを特徴とする止水装置。
【請求項５】
請求項１乃至４のいずれかに記載の止水装置において、
前記一対の縦溝がシャッタの戸溝であることを特徴とする止水装置。
【請求項６】
請求項１乃至４のいずれかに記載の止水装置において、
前記一対の縦溝がみぞ形鋼により構成されていることを特徴とする止水装置。
【請求項７】
請求項１乃至４のいずれかに記載の止水装置において、
前記一対の縦溝の少なくとも一方が、着脱可能な支柱に設けた縦溝であることを特徴とする止水装置。
【発明の詳細な説明】
【技術分野】
【０００１】
本発明は、建物の出入口などへの水の侵入を防止する止水装置に関し、より詳細には一対の縦溝に両端を挿入して止水板が取付けられる止水装置に関する。
【背景技術】
【０００２】
上記止水装置としては、止水板の両端をガスケットにはめ込んだ構成のものが知られている（例えば特許文献１参照）。この止水板は、ガスケットにはめ込む両端を薄くし、その両端以外をサンドウィッチ状にして高強度化と軽量化とを図るようにしている。
【特許文献１】特開２００２−２４２４８１号公報
【発明の開示】
【発明が解決しようとする課題】
【０００３】
しかしながら、上記止水板は、平面状に形成されているため、水圧を受けると両端間の中央部が大きく撓むことにより止水板自体で水圧を受け止めるように機能するので、止水板の軽量化を更に向上させようとすると、水圧に対する耐久性が低下するという不都合があり、止水板の軽量化に関して改善の余地が残されていた。
【０００４】
本発明は、このような従来技術の課題を解決するためになされたもので、軽量化を図ることができるとともに水圧に対する耐久性も向上させ得る止水装置を提供することを目的とする。
【課題を解決するための手段】
【０００５】
請求項１の発明に係る止水装置は、一対の縦溝に両端を挿入して止水板が取付けられる止水装置であって、前記止水板は、止水用ゴム板を挟んで両側に一対の可撓性の支持板が設けられた構成であって、縦溝に挿入される前記両端の間の幅方向寸法が一対の縦溝間の寸法よりも長く、一対の縦溝間に湾曲状に撓んだ状態に取付けられることを特徴とする。
【０００６】
請求項２の発明に係る止水装置は、請求項１に記載の止水装置において、前記止水板を貫通するように設けたボルトとこのボルトに取付けたナットとにより、一対の支持板の離隔距離がほぼ一定に保持されるとともに、一方の支持板のみが前記ゴム板に接着され、他方の支持板には湾曲状に撓むことに伴う上記ボルトの前記幅方向への移動を許容する長孔が設けられていることを特徴とする。
【０００７】
請求項３の発明に係る止水装置は、請求項１又は２に記載の止水装置において、前記止水板は、矩形状であって、少なくとも前記幅方向の２方向及び幅方向と交差する１方向の３方向でゴム板が両支持板よりも外側へ突出した構成であることを特徴とする。
【０００８】
請求項４の発明に係る止水装置は、請求項１乃至３のいずれかに記載の止水装置において、前記止水板は前記交差する１方向を下向きに配置され、ゴム板の下部として用いられる部分が、軟質のゴムで構成されていることを特徴とする。
【０００９】
請求項５の発明に係る止水装置は、請求項１乃至４のいずれかに記載の止水装置において、前記一対の縦溝がシャッタの戸溝であることを特徴とする。
【００１０】
請求項６の発明に係る止水装置は、請求項１乃至４のいずれかに記載の止水装置において、前記一対の縦溝がみぞ形鋼により構成されていることを特徴とする。
【００１１】
請求項７の発明に係る止水装置は、請求項１乃至４のいずれかに記載の止水装置において、前記一対の縦溝の少なくとも一方が、着脱可能な支柱に設けた縦溝であることを特徴とする。
【発明の効果】
【００１２】
本発明による場合には、ゴム板の両側に一対の可撓性の支持板を有する止水板を用いるので、止水板を湾曲させてその両端を一対の縦溝に挿入することにより取付けることができる。このとき、水圧を受ける側へ突出するように止水板を湾曲させておくと、止水板が受ける水圧を、止水板の両端が縦溝の溝底を押圧する状態で受止めるようにすることができるので、止水板自身での水圧受止め力を低減させ得る。よって、止水板の水圧に対する耐久性を向上させ得る。また、止水板が湾曲した状態で取付けられるので、水圧を受けない状態でも止水板の両端が縦溝の溝底を押圧し、水圧を受ける状態になるとその溝底への押圧力が増大するため水密性に優れる。更に、止水板は、一対の支持板の間のゴム板で止水するサンドウィッチ構造を採るので、支持板と同一の材料でのみ止水板を構成する場合よりもゴム板の存在により軽量化を図ることができる。そして、更に、止水板を使用しないとき、止水板が平面状となるため、隙間を利用して容易に収納し得るという利点がある。
【００１３】
請求項２の発明による場合には、止水板を湾曲させることに伴ってボルトの位置が幅方向に変化するが、そのボルトの位置変化を長孔が許容するので止水板を湾曲させ得る。このとき、一方の支持板がゴム板に接着されかつボルトの頭部とナット間で一対の支持板が挟まれるので、一対の支持板の離隔距離をほぼ一定に保持した状態、つまりゴム板と支持板との間に隙間が少ない状態になり、これによりゴム板を支持板が支持しつつ止水板を湾曲させることが可能となる。
【００１４】
請求項３の発明による場合には、矩形状の止水板を、交差する１方向を下向きにして取付けると、一対の縦溝及び止水部の床面（地面等を含む）に対し、ゴム板の支持板よりも外側に突出した部分が当接するため、水密性に優れる。
【００１５】
請求項４の発明による場合には、止水部の床面（地面等を含む）に対して当接する部分が軟質のゴムであるので、多少の凹凸に拘わらず水密性の確保が可能である。
【００１６】
請求項５の発明による場合には、シャッタの戸溝を利用して止水板を取付けることができる。
【００１７】
請求項６の発明による場合には、シャッタが設けられていない箇所であっても、出入口の対向する側壁面等にみぞ形鋼を縦方向に設けることで、止水板を取付けることが可能となる。
【００１８】
請求項７の発明による場合には、支柱を取付ける取付孔を所定箇所に設け、その取付孔に支柱を着脱可能に設けることで、その支柱の縦溝と、これと対になる縦溝、例えばもう一つの支柱、シャッタの溝の片方、或いは出入口の対向する側壁面等に設けた形鋼の片方とを利用して止水板を設けることができる。また、支柱の取外しにより支柱が邪魔にならないようにすることができる。
【発明を実施するための最良の形態】
【００１９】
以下に、本発明を具体的に説明する。
【００２０】
図１は本実施形態に係る止水装置を構成する止水板を示す図であり、（ａ）は止水板の平面図で、（ｂ）は止水板の正面図である。また、図２はその止水板の設置状態を示す平面図である。
【００２１】
この実施形態では、図２に示すようにシャッタの戸溝からなる一対の縦溝１０に、止水板１の両端１ａを挿入して止水板１を取付ける例を挙げて説明する。
【００２２】
止水板１は、図１に示すように、止水用ゴム板２を挟んで両側に一対の可撓性の支持板３、４が設けられた矩形状のものであり、図１（ｂ）に示す例では幅寸法（横寸法）が高さ寸法（縦寸法）よりも長くなっている。そして、止水板１の幅方向の両端１ａが各縦溝１０に挿入されることで、一対の縦溝１０間に取付けられる。この止水板１の幅寸法は、一対の縦溝１０間の寸法よりも長く設定されていて、止水板１は一対の縦溝１０間に湾曲状に撓んだ取付け状態（図２参照）になる。
【００２３】
ゴム板２は、厚みが、例えば１０ｍｍ〜１２ｍｍ程度の矩形状のものを用いていて、支持板３、４は、例えばステンレス鋼、アルミニウム、鋼又は樹脂からなる厚みが１ｍｍ程度の矩形状のものが用いられる。支持板３、４は、共に、幅寸法（横寸法）及び高さ寸法（縦寸法）が同一のものであり、支持板３、４の幅寸法はゴム板２の幅寸法よりも短く、支持板３、４の高さ寸法はゴム板２の高さ寸法よりも短く設定されている。なお、支持板３、４の材質は、同一でも異なっていてもよい。
【００２４】
支持板３、４のうちの一方、図示例では支持板３はゴム板２に接着されていて、他方の支持板４は、ボルト５ａ及びナット５ｂを介してゴム板２に取付けられている。具体的には、ボルト５ａ及びナット５ｂは、例えば止水板１の幅方向に３個ずつ、高さ方向に３個ずつ、合計９個設けられており、ゴム板２を挟む支持板３、４は、ボルト５ａの頭部５ｃとナット５ｂの間で挟まれることで、支持板３、４の離隔距離がほぼ一定に保持されている。そして、このように保持された状態において、ゴム板２の周囲は、４方向において支持板３、４の外縁よりも外側に突出していて、その突出部２ａの長さは、例えば３ｍｍ〜５ｍｍ程度となっている。なお、ゴム板２には、ボルト５ａを通す円形の貫通孔２ｂが設けられているが、その貫通孔２ｂの直径はボルト５ａの直径とほぼ同一又はそれよりも短い寸法に設定され、止水できるようになっている。また、支持板３には、ボルト５ａとほぼ同一の直径の円形の貫通孔３ａが設けられている。
【００２５】
また、他方の支持板４の幅方向の中央部には、ボルト５ａを通す丸孔４ａが設けられ、支持板４の左右には、止水板１の幅方向が湾曲するように曲げたとき、ボルト５ａの移動を許容する長孔４ｂが設けられている。その長孔４ｂは、止水板１の幅方向に長いものである。この長孔４ｂにより、止水板１を湾曲させることに伴ってボルト５ａの位置が変化するのを許容する。
【００２６】
このように構成された止水板１は、止水板１の幅方向が湾曲するように曲げて両端１ａの間の長さを一対の縦溝１０の間の距離よりも短くし、その状態で両端１ａを各縦溝１０に挿入することで取付けられる。この取付け状態において、上述したように、止水板１の幅寸法が一対の縦溝１０間の寸法よりも長く設定されているので、止水板１は一対の縦溝１０間に湾曲状に撓んだ取付け状態になる。このとき、水圧を受ける方向に向けて外側に突出するように止水板１を湾曲させる。なお、その突出長さとしては、例えば幅寸法が１８００ｍｍの止水板で約１００ｍｍ以内にすることが好ましい。但し、湾曲して外側に突出させるのは、支持板３側でも或いは支持板４側でもよく、どちら側を選択しても長孔４ｂがボルト５ａの移動を許容する。
【００２７】
以上のようにして一対の縦溝１０間に、止水板１が水圧を受ける側へ突出するように湾曲させて取付けられるので、止水板１が受ける水圧を、止水板１の両端１ａが縦溝１０の溝底１１を押圧する状態で受止めるようにすることができる。これにより、止水板１自身での水圧受止め力を低減させ得る。よって、止水板１の水圧に対する耐久性を向上させ得る。
【００２８】
また、止水板１が湾曲した状態で取付けられるので、水圧を受けない状態でも止水板１の両端１ａが縦溝１０の溝底１１を押圧し、水圧を受ける状態になるとその溝底１１への押圧力が増大するため水密性に優れる。加えて、ゴム板２は上述した突出部２ａを有するので、図３に示すようにその突出部２ａが溝底１１周辺を押圧することになり、これによっても水密性に優れる。
【００２９】
更に、止水板１は、一対の支持板３、４の間のゴム板２で止水するサンドウィッチ構造を採るので、支持板３、４と同一の材料でのみ止水板を構成する場合よりもゴム板２の存在により軽量化を図ることができる。そして、更に、止水板１を使用しないとき、止水板１が湾曲状から平面状となるため、予めシャッタの近傍の隙間を利用して容易に収納し得るという利点がある。
【００３０】
また、止水板１の４方向で、ゴム板２が両支持板３、４よりも外側へ突出しているので、両端１ａの方向と交差する１方向（下側）を下向きにして止水板を取付けると、一対の縦溝１０及び止水部、つまりシャッタが設けられている部分の床面（地面等を含む）に対し、ゴム板２の支持板３、４よりも外側に突出した突出部２ａが当接するため、水密性に優れる。なお、この実施形態では突出部２ａを止水板２の４方向に設けるようにしているが、下側にする方向を予め決めておくことで、その下側と両端１ａの３方向に突出部２ａを設けるようにしてもよい。逆に、４方向に突出部２ａを設けた場合には、上下の方向を問わずに用いることができる。
【００３１】
なお、上述した実施形態において明言していないが、ゴム板は全域で同一品質のものを用いているが、本発明はこれに限らない。例えば、ゴム板２の上部と下部とで材質を変え、下部として用いられる部分に軟質のゴムを用いることで、前記止水部の床面（地面等を含む）に対して軟質のゴムが当接し、多少の凹凸に拘わらず水密性の確保が可能になる。
【００３２】
また、上述した実施形態では止水板をシャッタの戸溝を利用して取付ける場合を例に挙げているが、本発明はこれに限らない。例えば、図４に示すように、シャッタが設けられていない箇所では、出入口の対向する側壁面２０のそれぞれにみぞ形鋼２１を縦方向に設け、そのみぞ形鋼２１のみぞからなる縦溝２１ａに止水板１の端１ａを挿入することで、止水板１を取付けることが可能となる。また、図５に示すように、一対のみぞ形鋼２１の間隔が長い場合には、その中間位置に、着脱可能な支柱２２を設け、その支柱２２の両側に設けた縦溝２２ａと一対のみぞ形鋼２１とを利用することで、２枚の止水板１を取付けることができる。更には、一対のみぞ形鋼２１の間に２つ以上の着脱可能な支柱２２を設けることで、３枚以上の止水板１を取付けることができる。そして更に、図６に示すように、支柱２２とは別の直交する２方向に縦溝２３ａを有する着脱可能な支柱２３と支柱２２とを用いることで、ビル等の建物２４のコーナー部分２４ａに対しても止水板１を設けることができる。また、支柱２２、２３の取外しにより支柱２２、２３が邪魔にならないようにすることができる。
【図面の簡単な説明】
【００３３】
【図１】本発明の一実施形態に係る止水装置を構成する止水板を示す図であり、（ａ）は止水板の平面図で、（ｂ）は止水板の正面図である。
【図２】図１の止水板の設置状態を示す平面図である。
【図３】止水板の端と縦溝との当接箇所を示す平面図である。
【図４】止水板の端をみぞ型鋼に取付けた状態を示す平面図である。
【図５】止水板の一端をみぞ型鋼に他端を支柱に取付けた状態を示す平面図である。
【図６】止水板の両端を支柱に取付けた状態を示す平面図である。
【符号の説明】
【００３４】
１    止水板
１ａ    止水板の端
２    ゴム板
２ａ    突出部
３、４    支持板
４ｂ    長孔
５ａ    ボルト
５ｂ    ナット
５ｃ    ボルト頭部
１０    縦溝
１１    溝底
２１    みぞ形鋼
２２、２３    支柱
２１ａ、２２ａ、２３ａ    縦溝
【図１】
2006316461.tif 000003
【図２】
2006316461.tif 000004
【図３】
2006316461.tif 000005
【図４】
2006316461.tif 000006
【図５】
2006316461.tif 000007
【図６】
2006316461.tif 000008